(57)【要約】【課題】カラーホイールが回転していないにも関わらずランプが点灯しているという状況を、より確実に回避することが可能なプロジェクタを提供する。【解決手段】点灯時に光を発するランプと、回転しながら該光を受けて、複数色の光を発生させるカラーホイールと、前記回転を制御するための制御信号を生成する制御部と、を備え、該複数色の光に基づいて画像を形成するプロジェクタであって、前記制御信号の状態を検出する検出部と、該検出の結果に応じて前記ランプの点灯を停止させる停止処理部と、を更に備えており、前記検出および停止の処理においては、ソフトウェア処理が用いられていない構成のプロジェクタとする。【選択図】図１
2008233604.tif 000002
【特許請求の範囲】
【請求項１】
外部から伝送される所定のバラスト信号が、ＯＮ状態である場合にのみ点灯するランプと、
回転しながら前記ランプの発する光を受けて、複数色の光を発生させるカラーホイールと、
前記回転を制御するための制御信号を生成する制御部と、を備え、
該複数色の光に基づいて画像を形成するプロジェクタであって、
前記制御信号と所定電圧との比較により、前記制御信号の状態を検出する検出部と、
該検出の結果に応じて前記ランプの点灯を停止させる停止処理部と、を更に備えており、
前記停止処理部は、
前記バラスト信号の伝送路を接地させて、該バラスト信号をＯＦＦ状態とすることにより、前記ランプの点灯を停止させるものであって、
前記検出および停止の処理においては、ソフトウェア処理が用いられていないことを特徴とするプロジェクタ。
【請求項２】
点灯時に光を発するランプと、
回転しながら該光を受けて、複数色の光を発生させるカラーホイールと、
前記回転を制御するための制御信号を生成する制御部と、を備え、
該複数色の光に基づいて画像を形成するプロジェクタであって、
前記制御信号の状態を検出する検出部と、
該検出の結果に応じて前記ランプの点灯を停止させる停止処理部と、を更に備えており、
前記検出および停止の処理においては、ソフトウェア処理が用いられていないことを特徴とするプロジェクタ。
【請求項３】
前記検出部は、
前記制御信号と所定電圧との比較により、前記検出を行うことを特徴とする請求項２に記載のプロジェクタ。
【請求項４】
前記ランプは、外部から伝送される所定のバラスト信号がＯＮ状態である場合にのみ点灯するものであり、
前記停止処理部は、
該バラスト信号をＯＦＦ状態とすることにより、前記ランプの点灯を停止させることを特徴とする請求項２または請求項３に記載のプロジェクタ。
【請求項５】
前記停止処理部は、
前記バラスト信号の伝送路を接地させることにより、前記バラスト信号をＯＦＦ状態とすることを特徴とする請求項４に記載のプロジェクタ。
【発明の詳細な説明】
【技術分野】
【０００１】
本発明はプロジェクタに関し、特に、カラーホイールを用いたものに関する。
【背景技術】
【０００２】
従来、カラーホイールの組み込まれたプロジェクタが広く使用されている。このようなプロジェクタでは、光源ランプが発する光を、回転するカラーホイールに備えられた各色のカラーフィルタに順次透過あるいは反射させ、各色の光を得る。このようにして得られた光は、カラー画像の形成に用いられる。
【０００３】
またカラーホイールは、ランプに隣接した位置に配置されているのが通常であるため、このランプから発せられる熱により破損しないように注意を要する。例えば何らかの原因で、カラーホイールが回転していない時にランプが点灯している状態となると、カラーホイールが熱によって破損するおそれがある。
【０００４】
このような事態をできるだけ回避するために、カラーホイールの回転状況をＣＰＵ等によるソフトウェア処理を通じて監視させ、回転していない場合には、ランプを点灯させないようにすることが行われている。かかる技術によれば、ソフトウェア処理が正常になされている限り、カラーホイールがランプの熱により破損することを防止することが可能である。
【特許文献１】特開２００６−０９８９７９号公報
【発明の開示】
【発明が解決しようとする課題】
【０００５】
一般にソフトウェア処理は、処理内容の変更（プログラムの改変で対応可）や処理の自由度などの観点においては比較的優れているが、例えば瞬時停電が発生したような場合に、フリーズ（ハングアップ）する可能性がある。
【０００６】
そのため上述したように、カラーホイールが回転しているか否かをソフトウェア処理により監視させるものでは、かかるソフトウェア処理がフリーズし、正常に機能しなくなる事態が想定される。このような事態になれば、カラーホイールの回転状況を正しく検出することができず、ひいてはカラーホイールが停止しているにも関わらずランプが点灯し、カラーホイールが熱により破損するおそれがある。
【０００７】
またカラーホイールの回転状況を検出させるにあたり、かかる検出のために回路が複雑となることは、製造コスト削減の観点などから極力回避されることが望ましい。また安全性確保の観点などから、カラーホイールの回転状況の検出においてエラーが発生することも、極力回避されることが望ましい。
【０００８】
そこで本発明は、上記の問題に鑑みてなされたものであり、カラーホイールが回転していないにも関わらずランプが点灯しているという状況を、より確実に回避することが可能なプロジェクタの提供を目的とする。またカラーホイールの回転状況を検出させるにあたり、回路の複雑化や検出エラーを極力回避し得るプロジェクタの提供をも目的とする。
【課題を解決するための手段】
【０００９】
上記目的を達成するため、本発明によるプロジェクタは、点灯時に光を発するランプと、回転しながら該光を受けて、複数色の光を発生させるカラーホイールと、前記回転を制御するための制御信号を生成する制御部と、を備え、該複数色の光に基づいて画像を形成するプロジェクタであって、前記制御信号の状態を検出する検出部と、該検出の結果に応じて前記ランプの点灯を停止させる停止処理部と、を更に備えており、前記検出および停止の処理においては、ソフトウェア処理が用いられていない構成（第２の構成）とする。
【００１０】
本構成によれば、制御信号の状態の検出を通じて把握されるカラーホイールの回転状況に応じて、ランプの点灯を停止させることができる。そしてかかる検出および停止の処理においては、ソフトウェア処理が用いられないようになっている。
【００１１】
そのため、例えば瞬時停電等によりソフトウェア処理がフリーズすることで、ランプの点灯を停止させる処理が阻害されるのを防ぐことができる。その結果、カラーホイールが回転していないにも関わらずランプが点灯しているという状況を、より確実に回避することが可能となる。
【００１２】
またカラーホイールの回転を制御するための制御信号の状態を検出することとしているため、カラーホイールの回転状況を検出するにあたり、例えば回転そのものを検出する装置などを設ける必要がない。そのため、回路の複雑化を極力抑えることが可能となる。また、回転状況に影響を及ぼす制御信号自体の状態を検出するため、回転状況の検出における検出エラーを極力抑えることも可能となる。
【００１３】
また上記第２の構成において、前記検出部は、前記制御信号と所定電圧との比較により、前記検出を行う構成（第３の構成）としてもよい。
【００１４】
制御信号としては、その電圧の大きさが制御情報として適用されることがある。例えばカラーホイールの回転中は、制御信号は３．３Ｖであり、停止中は０Ｖであるといった具合である。上記第３の構成によれば、このような場合において、制御信号の状態の検出を容易に行うことができる。
【００１５】
また上記第２または第３の構成において、前記ランプは、外部から伝送される所定のバラスト信号がＯＮ状態である場合にのみ点灯するものであり、前記停止処理部は、該バラスト信号をＯＦＦ状態とすることにより、前記ランプの点灯を停止させる構成（第４の構成）としてもよく、この場合、前記停止処理部は、前記バラスト信号の伝送路を接地させることにより、前記バラスト信号をＯＦＦ状態とする構成（第５の構成）としてもよい。
【００１６】
本構成によれば、例えばバラスト信号の伝送路を、トランジスタ等のスイッチング素子を介して接地させておき、検出部における検出結果に応じてスイッチング素子の導通／非導通を切替えるようにしておくことで停止処理を実現することが可能となる。
【００１７】
なお、外部から伝送される所定のバラスト信号が、ＯＮ状態である場合にのみ点灯するランプと、回転しながら前記ランプの発する光を受けて、複数色の光を発生させるカラーホイールと、前記回転を制御するための制御信号を生成する制御部と、を備え、該複数色の光に基づいて画像を形成するプロジェクタであって、前記制御信号と所定電圧との比較により、前記制御信号の状態を検出する検出部と、該検出の結果に応じて前記ランプの点灯を停止させる停止処理部と、を更に備えており、前記停止処理部は、前記バラスト信号の伝送路を接地させて、該バラスト信号をＯＦＦ状態とすることにより、前記ランプの点灯を停止させるものであって、前記検出および停止の処理においては、ソフトウェア処理が用いられていない構成（第１の構成）であれば、上述した各構成に係る利点を享受することができる。
【発明の効果】
【００１８】
上述の通り、本発明のプロジェクタによれば、制御信号の状態の検出を通じて把握されるカラーホイールの回転状況に応じて、ランプの点灯を停止させることができる。そしてかかる検出および停止の処理においては、ソフトウェア処理が用いられないようになっている。
【００１９】
そのため、例えば瞬時停電等によりソフトウェア処理がフリーズすることで、ランプの点灯を停止させる処理が阻害されるのを防ぐことができる。その結果、カラーホイールが回転していないにも関わらずランプが点灯しているという状況を、より確実に回避することが可能となる。
【００２０】
またカラーホイールの回転を制御するための制御信号の状態を検出することとしているため、カラーホイールの回転状況を検出するにあたり、例えば回転そのものを検出する装置などを設ける必要がない。そのため、回路の複雑化を極力抑えることが可能となる。また、回転状況に影響を及ぼす制御信号自体の状態を検出するため、回転状況の検出における検出エラーを極力抑えることも可能となる。
【発明を実施するための最良の形態】
【００２１】
本発明の実施形態として、カラーホイールを備えたプロジェクタを挙げて、以下に説明する。当該プロジェクタの概略的な構成を、図１に示す。本図のように当該プロジェクタ１は、ランプ制御部１１、ＣＷ制御部１２、制御信号検出部１３、点灯停止処理部１４、ランプ１５、カラーホイール１６、および操作部１７などを備えている。
【００２２】
ランプ制御部１１は、ソフトウェア処理により、ランプ１５の駆動状態などを制御する役割を果たす。その一つとして、ランプ１５に対してバラスト信号を出力する。このバラスト信号は、例えば何らかの異常があったときにランプの点灯を停止させるものであり、ＯＮ状態（接地電圧でない所定の電圧となる状態）とＯＦＦ状態（略接地電圧となる状態）の何れかの状態をとる。ランプ１５は、バラスト信号がＯＮ状態のときには点灯可能となっており、逆にＯＦＦ状態のときには点灯不可となっている。
【００２３】
またランプ制御部１１は、ＣＷ制御部１２を通じてカラーホイール１６の回転状態を監視しており、カラーホイール１６が回転していない時には、ランプの点灯を停止させる（バラスト信号をＯＦＦ状態とする）ようにしている。これにより、ランプ制御部１１が正常に作動していない場合（例えば、ソフトウェア処理がフリーズしているような場合）を除き、カラーホイール１６がランプ１５の熱により破損することが防止される。
【００２４】
ＣＷ制御部１２は、ソフトウェア処理により、カラーホイール１６の回転状態を制御するための制御信号（CW index信号）を生成して、カラーホイール１６の回転駆動装置に出力する。この制御信号は、ＯＮ状態（所定の正の電圧となる状態）とＯＦＦ状態（ＯＮ状態に比べて小さい電圧と状態で、例えば接地電圧となる状態）の何れかの状態をとる。そして制御信号がＯＮ状態のときには、回転駆動装置はカラーホイール１６を回転させ、逆にＯＦＦ状態のときには、回転させないようになっている。
【００２５】
制御信号検出部１３は、ＣＷ制御部１２から出力される制御信号の状態（ＯＮ状態とＯＦＦ状態の何れであるか）を検出する。また点灯停止処理部１４は、制御信号検出部１３によって制御信号がＯＦＦ状態であること（つまり、カラーホイール１６を回転させないようにしていること）が検出されると、ランプ１５の点灯を強制的に停止させる処理（停止処理）を実行する。なお制御信号検出部１３と点灯停止処理部１４の具体的な構成については、改めて説明する。
【００２６】
ランプ１５は、プロジェクタ１の光源として機能し、点灯時には、カラーホイール１６に向けて光を発する。また先述の通り、ランプ１５はランプ制御部１１から出力されるバラスト信号を受取るようになっており、このバラスト信号がＯＮ状態のときにのみ点灯する。つまりバラスト信号がＯＦＦ状態となると、ランプの点灯は強制的に停止されることになる。
【００２７】
カラーホイール１６は、例えばＲＧＢＷの４色のカラーフィルタを円盤上に備えており、円盤が回転することによって、ランプ１５からの光を透過或いは反射させるフィルタを順次切替える。これにより、ランプ１５の光に基づいて複数色の光を発生させる。そしてこれら複数色の光は、別途供給されている画像データに基づいた画像の形成に用いられる。なおカラーホイールにより得られた複数色の光を用いて画像を形成させることは、一般的な技術であるため、その詳細な説明は省略する。
【００２８】
また先述したように、カラーホイール１６は、制御信号に応じて回転状態が制御されるようになっている。なおカラーホイール１６はランプ１５の近傍に設置されていることから、回転していない時にランプ１５が点灯していると、熱によりカラーホイール１６が損傷するおそれがある。
【００２９】
操作部１７は、ユーザがプロジェクタ１に各種指示を与えるためのユーザインターフェースとして機能し、例えばランプ１５の点灯の開始／終了の指示などが、ボタンスイッチの操作等を通じて実現できるようになっている。操作部１７により得られた指示情報はランプ制御部１１やＣＷ制御部１２等に伝送され、各処理に反映される。
【００３０】
次に、上述した制御信号検出部１３および点灯停止処理部１４のより具体的な構成について、図２を参照しながら説明する。本図に示すようにプロジェクタ１には、制御信号検出部１３および点灯停止処理部１４の機能を実現するため、比較器（コンパレータ）２１、ホトカプラ２２、および抵抗（Ｒ１、Ｒ２）などが備えられている。
【００３１】
そして、ＣＷ制御部１２からカラーホイール１６に伝送される制御信号は、比較器２１の反転入力端子にも入力されるようになっている。また比較器２１の非反転入力端子には、所定の電圧Ｖ１（例えば１２Ｖ）が抵抗Ｒ１およびＲ２によって分圧された電圧（例えば２．５Ｖ）が、入力される。なおこの非反転入力端子に入力される電圧は、制御信号におけるＯＦＦ状態時の電圧より大きく、ＯＮ状態時の電圧よりは小さくなっている。
【００３２】
かかる構成により、制御信号がＯＦＦ状態であるときには、比較器２１の出力端子から所定値の電流が出力されるが、制御信号がＯＮ状態であるときには、かかる電流は出力されないようになっている。つまりこの作用により、制御信号の状態を検出することが可能となっており、制御信号検出部１３の機能が果たされる。
【００３３】
なお仮にＣＷ制御部１２におけるソフトウェア処理がフリーズし、制御信号としての電圧が出力されない場合には、カラーホイール１６の回転駆動装置における動作は不安定になり、カラーホイールの回転も止まる可能性がある。この場合、制御信号検出部１３によれば、制御信号はＯＦＦ状態であると検出される。
【００３４】
また比較器２１の出力端子から出力される電流は、ホトカプラ２２におけるＬＥＤを発光させる。これにより、ホトカプラ２２におけるホトトランジスタのコレクタ−エミッタ端子間は導通する。一方、ランプ制御部１１とランプ１５とを結ぶバラスト信号の伝送路は、このホトトランジスタのコレクタ−エミッタ端子を介して接地されている。
【００３５】
かかる構成により、制御信号がＯＦＦ状態であるとき（カラーホイール１６を回転させないように制御を行うとき、或いは、ＣＷ制御部１２のソフトウェア処理がフリーズし、制御信号が出力されない場合）には、ホトカプラ２２のトランジスタは導通状態となっており、ひいては、ランプ制御部１１とランプ１５とを結ぶ駆動信号の伝送路は接地されることになる。そのためバラスト信号は必ずＯＦＦ状態となり、ランプ１５の点灯は強制的に停止される。
【００３６】
なお制御信号がＯＮ状態であるときには、ホトカプラ２２のトランジスタは非導通状態となっているため、ランプ１５の点灯が阻害されることはない。つまりこのような構成によって、点灯停止処理部１４の機能が果たされることとなる。
【００３７】
また上述のように、制御信号検出部１３が行う処理（制御信号の状態を検出する処理）、および点灯停止処理部１４が行う処理（制御信号の状態の検出結果に応じて、ランプの点灯を停止させる処理）は、何れも比較器２１やホトカプラ２２といった回路素子の作用により実現されている。
【００３８】
すなわちこれらの処理は、ソフトウェア処理が用いられずに実行されることとなる。そのため、例えば瞬時停電の発生によりランプ制御部１１等におけるソフトウェア処理がフリーズ（ハングアップ）する状況となっても、これらの処理が阻害される事態は回避される。
【００３９】
以上までに説明した通り、本実施形態のプロジェクタ１は、点灯時に光を発するランプ１５と、回転しながらこの光を受けて、複数色の光を発生させるカラーホイール１６と、この回転を制御するための制御信号を生成するＣＷ制御部１２と、を備えており、かかる複数色の光に基づいて画像を形成するものとなっている。
【００４０】
また更に、制御信号の状態を検出する制御信号検出部１３と、この検出の結果に応じてランプ１５の点灯を停止させる点灯停止処理部とを備えており、かかる検出および停止の処理においては、ソフトウェア処理が用いられていない（つまり、専らハードウェア処理となっている）ものとなっている。
【００４１】
そのため、例えば瞬時停電等によりソフトウェア処理がフリーズすることで、ランプ１５の点灯を停止させる処理が阻害されるのを防ぐことができるようになっている。その結果、カラーホイール１６が回転していないにも関わらずランプ１５が点灯しているという状況を、より確実に回避することが可能となっている。
【００４２】
またカラーホイール１６の回転を制御するための制御信号の状態を検出することとしているため、カラーホイール１６の回転状況を検出するにあたり、例えば回転そのものを検出する装置などを設ける必要がない。そのため、回路の複雑化を極力抑えることが可能となっている。また、回転状況に影響を及ぼす制御信号自体の状態を検出するため、回転状況の検出における検出エラーを極力抑えることも可能となっている。
【００４３】
以上、本発明の実施形態について説明したが、本発明はこの内容に限定されず、本発明の趣旨を逸脱しない範囲で種々の変更が可能である。
【産業上の利用可能性】
【００４４】
本発明は、カラーホイールを適用したプロジェクタの分野において利用可能である。
【図面の簡単な説明】
【００４５】
【図１】本発明の実施形態に係るプロジェクタの構成図である。
【図２】制御信号検出部および点灯停止処理部の具体的構成を示す説明図である。
【符号の説明】
【００４６】
１    プロジェクタ
１１    ランプ制御部
１２    ＣＷ制御部
１３    制御信号検出部
１４    点灯停止処理部
１５    ランプ
１６    カラーホイール
１７    操作部
２１    比較器
２２    ホトカプラ
Ｒ１、Ｒ２    抵抗
【図１】
2008233604.tif 000003
【図２】
2008233604.tif 000004